(57)【要約】【課題】ペットボトルを再利用して植物を育てる場合において、ペットボトルを換気機能を有する温室として活用する。【解決手段】ペットボトルを上下に２分割して、植物を育てる鉢部として利用されるペットボトル上部に、同形のペットボトルで底部を切り取り除いたものを嵌合して、底部を切り取り除いたペットボトルの注ぎ口のキャップの着脱により換気機能を有する温室として活用できる形状にペットボトルを形成する。【選択図】図３
2005261278.tif 000002
【特許請求の範囲】
【請求項１】
２本の同形のペットボトルをそれぞれ上部と下部に２分割した後に、注ぎ口を有する上部同士をそれぞれの注ぎ口が両端に位置する状態に嵌合することができることを特長とするペットボトルの形状。
【請求項２】
凸状または凹状の嵌合代をペットボトルの側面に有することを特長とする請求項１記載のペットボトル形状。
【発明の詳細な説明】
【技術分野】
【０００１】
本発明はペットボトルを再利用することに係り、ペットボトルと通称される飲料用容器の廃棄物を用いて植物の栽培を行う場合において、特に保温と保湿に利用できるようにしたペットボトルの形状に関する。
【背景技術】
【０００２】
植物の栽培に関して、水溜用の容器と植木鉢との間に不織布等を介在させることにより、不織布等の毛管現象を利用して鉢土に対して水の補給が行えるよう構成したものが提供されている。
【０００３】
またペットボトルを上下に２分割し、ペットボトル上部を反転させてペットボトル下部に載せ、上部を鉢部、下部を水容器部とし、ペットボトルの注ぎ口である開口を介して、鉢部と水容器部との間に不織布等を配置する植物栽培方法が提案されている。
【０００４】
この出願の発明に関する先行技術文献情報としては次のものがある。
【特許文献１】特願平９−１５１６６１
【発明の開示】
【発明が解決しようとする課題】
【０００５】
上述のように、ペットボトルを再利用して植物を栽培する方法において、鉢部と水容器部との間に不織布等を介在させることにより、水分の確保は容易に行えるが、保温および保湿に関してはまったく対策が取られていない為に、気温の低い時期での植物の栽培は困難であり、本発明は保温および保湿の課題を解決するためになされたものである。
【課題を解決するための手段】
【０００６】
ペットボトルの再利用を促進するためには、ペットボトル製造の段階で再利用方法を考慮してペットボトルを形成する必要が有り、本発明は上述の課題を艦み構成された発明である。
【０００７】
ペットボトルを上下に２分割し、ペットボトル上部を植物を育てる鉢部、ペットボトル下部をこの鉢部に水を供給する水容器部として利用し、同形のペットボトルで底部を切り取り除いたものを、前記鉢部に嵌合して換気機能を有する温室として利用することを特徴とするペットボトルの形状である。
【発明の効果】
【０００８】
ペットボトルの急増が大きな社会問題となっている。ゴミとして捨てられるペットボトルは、まるで空気の固まりで空気をゴミに変えるとさえ言われている。容器や包装に使用されたゴミの埋立て処分場の確保が緊急の課題であり、ペットボトルの再利用などによるゴミの減量が強く求められている。
【０００９】
家庭においてペットボトルを再利用して植物を育てたり、あるいはペットボトルを再利用して育てた野菜を食卓に供することは、家庭から排出されるゴミの減量に役立つと共に資源のリサイクル意識を高めることにも役立つ。
【００１０】
ペットボトルの底部を切り取ったものを、温室として利用することにより、植物の成育環境を整備することができ、種子の発芽日数を短縮し、発芽を均一にし、発芽後の生育を促進することとなり、家庭で簡単にペットボトルを再利用して植物を育てたり、野菜を生産して食卓に供することができるようになる。
【発明を実施するための最良の形態】
【００１１】
ペットボトルを上下に２分割し、ペットボトル上部を反転させてペットボトル下部に載せ、ペットボトル上部を鉢部、ペットボトル下部を水容器部とし、ペットボトルの注ぎ口である開口を介して鉢部と水容器部との間に不織布等の給水布を配置する。
【００１２】
次に前記水容器部に水、そして前記鉢部に用土を充填し、用土に植物の種子を播種した後に、同形のペットボトルで底部を切り取り除いたものを鉢部に嵌合し、温室として再利用し、保温および保湿を行う。
【００１３】
さらに、温室として再利用するペットボトルの注ぎ口のキャップを着脱することにより、温室内の空気の換気を行い、温室内の温度および湿度の調節を行う。
【実施例１】
【００１４】
以下本発明の実施例を図面を参考に具体的に説明する。図１は清涼飲料水等の内容物を利用した後の容量２リットルのペットボトルである。このペットボトル１には凸状の嵌合代１ａが設けられている。このペットボトル１を線Ｌ１に沿って上下二つに切断する。
【００１５】
図２は二つに切断されたペットボトルを利用した植物の栽培方法を示す。二分割されたペットボトル１のうち、ペットボトル上部は注ぎ口である開口２ａが下に位置するようにした状態で用いられる。以下このペットボトル上部を鉢部２とする。この鉢部２の開口２ａを覆うように鉢部２内には網３が配置され、かつこの網３を挿通して給水布４の一端が鉢部２内に位置するよう配置され、この状態で鉢部２には用土７を充填する。
【００１６】
一方上記ペットボトル１の下部は水容器部５として構成され水６が充填されている。この水容器部５に対しては、中心に開口２ａが位置するテーパ部２ｂが水容器部５内に位置するように前記鉢部２を配置し用土７に種子を播種する。
【００１７】
３図はペットボトルを温室として利用する方法を示す。前記ペットボトル１と同形のペットボトル１を、今度は図１に示す線Ｌ２に沿って上下２つに切断し、底部を切り取り除いたものをペットボトル１の温室８とする。このペットボトル１の温室８を嵌合代１ａを介して上述の播種を行った鉢部２に嵌合して保温及び保湿する。なお、キャップ９は注ぎ口２ａに取り付けておく。
【００１８】
鉢部２内の用土７は給水布４の毛管現象により水容器部５内の水６が供給され、ペットボトル１の温室８の効果により、播種された種子は均一に発芽し苗Ｐとして生長していく。
【００１９】
苗が一定の大きさに育ったところでキャップ９の着脱によりペットボトル１の温室８内の温度および湿度の調節を行う。また、キャップ９をそのまま取り付けた状態にしておけば、茎の長く伸びた発芽野菜として収穫することができる。
【実施例２】
【００２０】
図４および図５は凹状の嵌合代１１ａが設けられているペットボトル１１の利用方法を示す。前記凸状の嵌合代を有するペットボトル１の場合と同様に、先ず線Ｌ１’に沿って上下二つに切断し、上部を鉢部１２、下部を水容器部１５として利用し、次に同形のペットボトル１１を線Ｌ２’に沿って上下に切断し、底部を切り取り除いたものをペットボトル１１の温室１８として嵌合代１１ａを介して鉢部１２に嵌合する。
【図面の簡単な説明】
【００２１】
【図１】凸状の嵌合代を有するペットボトルの側面図である。
【図２】図１に示すペットボトルにより形成された栽培具の断面図である。
【図３】図１に示すペットボトルによる植物栽培状態の断面図である。
【図４】凹状の嵌合代を有するペットボトルの側面図である。
【図５】図４に示すペットボトルによる植物栽培状態の断面図である。
【符号の説明】
【００２２】
１      凸状の嵌合代を有するペットボトル
１ａ    凸状の嵌合代
２      鉢部
３      網
４      給水布
５      水容器部
６      水
７      用土
８      ペットボトル１の温室
９      キャップ
１１    凹状の嵌合代を有するペットボトル
１１ａ  凹状の嵌合代
１２    鉢部
１５    水容器部
１８    ペットボトル１１の温室
Ｐ      苗
【図１】
2005261278.tif 000003
【図２】
2005261278.tif 000004
【図３】
2005261278.tif 000005
【図４】
2005261278.tif 000006
【図５】
2005261278.tif 000007